(57)【要約】【課題】記録可能メディアの性能向上を図る技術を提供すること。【解決手段】情報記憶媒体は、管理情報を記憶するための管理領域と、データを記憶するためのデータ領域とを備え、前記データ領域は、順次形成される複数の記録領域を記憶する領域であって、Ｍ（Ｍ：自然数）番目の記録領域の閉鎖を条件として形成されるＭ＋１番目の記録領域を記憶し、前記管理領域は、各記録領域の開始位置情報を記憶するための第１の領域と、前記データ領域に記憶された記録領域の個数情報を記憶するための第２の領域とを含み、前記第１の領域は、最大Ｎ個（Ｍ＜Ｎ、Ｎ：自然数）の記録領域の開始位置情報を記憶可能な領域であり、前記第２の領域は、最大Ｎ＋１の値を記憶可能な領域であり、前記第１の領域が、Ｍ＋１番目の記録領域の開始位置情報を記憶することにより、Ｍ番目の記録領域の閉鎖条件の一つを満たし、前記第２の領域が、Ｎ＋１の値を記憶することにより、Ｎ番目の記録領域の閉鎖条件の一つを満たす。【選択図】      図１８Ｂ
2009099193.tif 000002
【特許請求の範囲】
【請求項１】
管理情報を記憶するための管理領域と、
データを記憶するためのデータ領域と、を備え、
前記データ領域は、順次形成される複数の記録領域を記憶する領域であって、Ｍ（Ｍ：自然数）番目の記録領域の閉鎖を条件として形成されるＭ＋１番目の記録領域を記憶し、
前記管理領域は、各記録領域の開始位置情報を記憶するための第１の領域と、前記データ領域に記憶された記録領域の個数情報を記憶するための第２の領域とを含み、
前記第１の領域は、最大Ｎ個（Ｍ＜Ｎ、Ｎ：自然数）の記録領域の開始位置情報を記憶可能な領域であり、
前記第２の領域は、最大Ｎ＋１の値を記憶可能な領域であり、
前記第１の領域が、Ｍ＋１番目の記録領域の開始位置情報を記憶することにより、Ｍ番目の記録領域の閉鎖条件の一つを満たし、
前記第２の領域が、Ｎ＋１の値を記憶することにより、Ｎ番目の記録領域の閉鎖条件の一つを満たす、
ことを特徴とする情報記憶媒体。
【請求項２】
請求項１に記載の情報記憶媒体に対して情報を記録する情報記録方法であって、
Ｍ番目の記録領域の閉鎖指示に対応して、前記第１の領域に対してＭ＋１番目の記録領域の開始位置情報を記録し、
Ｎ番目の記録領域の閉鎖指示に対応して、前記第２の領域に対してＮ＋１の値を記録するとともに、Ｎ＋１番目の記録領域の形成を禁止する、
ことを特徴とする情報記録方法。
【請求項３】
請求項１に記載の情報記憶媒体に対して情報を記録する情報記録装置であって、
情報記憶媒体に対して情報を記録する記録手段を備え、
前記記録手段は、
Ｍ番目の記録領域の閉鎖指示に対応して、前記第１の領域に対してＭ＋１番目の記録領域の開始位置情報を記録し、
Ｎ番目の記録領域の閉鎖指示に対応して、前記第２の領域に対してＮ＋１の値を記録するとともに、Ｎ＋１番目の記録領域の形成を禁止する、
ことを特徴とする情報記録装置。
【請求項４】
管理情報を記憶するとともに、管理情報の内容変更に対応し最新の管理情報をさらに記憶するための管理領域と、
管理情報の複製を記憶するための管理複製領域と、
順次形成される複数の記録領域を記憶し、管理領域の拡張処理に対応し拡張管理領域を記憶するためのデータ領域と、を備え、
前記管理複製領域は、ファイナライズ処理が完了し且つこの管理複製領域に空き領域がある場合に、ファイナライズ済みであることを示す最新の管理情報の複製を記憶する、
ことを特徴とする情報記憶媒体。
【請求項５】
請求項４に記載の情報記憶媒体に対して情報を記録する情報記録方法であって、
前記管理複製領域から最新の管理情報の複製を読み出し、前記最新の管理情報の複製に記録されたディスクの状態がファイナライズ済みでない場合には、最後に形成された前記拡張管理領域を読み出し、前記拡張管理領域が未記録である場合には、前記最新の管理情報の複製に記録された情報に基づいて、前記記録媒体に対して記録を実施し、前記拡張管理領域が記録済みである場合には、前記拡張管理領域に記録済みの情報に基づいて、前記記録媒体に対して記録を実施することを特徴とする情報記録方法。
【請求項６】
請求項４に記載の情報記憶媒体に対して情報を記録する情報記録装置であって、
情報記憶媒体から情報を再生する再生手段と、
情報記憶媒体に対して情報を記録する記録手段と、を備え、
前記再生手段は、前記管理複製領域から最新の管理情報の複製を読み出し、前記最新の管理情報の複製に記録されたディスクの状態がファイナライズ済みでない場合には、最後に形成された前記拡張管理領域を読み出し、
前記記録手段は、前記拡張管理領域が未記録である場合には、前記最新の管理情報の複製に記録された情報に基づいて、前記記録媒体に対して記録を実施し、前記拡張管理領域が記録済みである場合には、前記拡張管理領域に記録済みの情報に基づいて、前記記録媒体に対して記録を実施する、
ことを特徴とする情報記録装置。
【請求項７】
請求項４に記載の情報記憶媒体から情報を再生する情報再生方法であって、
前記管理複製領域から最新の管理情報の複製を読み出し、前記最新の管理情報の複製に記録されたディスクの状態がファイナライズ済みでない場合には、最後に形成された前記拡張管理領域を読み出し、前記拡張管理領域が未記録である場合には、前記最新の管理情報の複製に記録された情報に基づいて、前記情報記録媒体の状態を確定し、前記拡張管理領域が記録済みである場合には、前記拡張管理領域に記録済みの情報に基づいて、前記情報記録媒体の状態を確定することを特徴とする情報再生方法。
【請求項８】
請求項４に記載の情報記憶媒体から情報を再生する情報再生装置であって、
情報記憶媒体から情報を再生する再生手段を備え、
前記再生手段は、前記管理複製領域から最新の管理情報の複製を読み出し、前記最新の管理情報の複製に記録されたディスクの状態がファイナライズ済みでない場合には、最後に形成された前記拡張管理領域を読み出し、前記拡張管理領域が未記録である場合には、前記最新の管理情報の複製に記録された情報に基づいて、前記情報記録媒体の状態を確定し、前記拡張管理領域が記録済みである場合には、前記拡張管理領域に記録済みの情報に基づいて、前記情報記録媒体の状態を確定することを特徴とする情報再生装置。
【請求項９】
管理情報セットを記憶するとともに、更新された最新の管理情報セットをさらに記憶する管理領域と、
順次形成される複数の記録領域を記憶するためのデータ領域と、を備え、
前記管理領域は、最大Ｘ個の管理情報セットを記憶するためのＸ個のセット領域が記憶可能であり、
各管理情報セットは、記憶された順序を示すシリアル番号を含み、
１番目を示すシリアル番号を含む管理情報セットからＸ番目を示すシリアル番号を含む管理情報セットまでのＸ個の管理情報セットを、１番目のセット領域からＸ番目のセット領域までのＸ個のセット領域で順に記憶し、
さらに管理情報を記憶する場合、Ｘ＋１番目を示すシリアル番号を含む管理情報セットを１番目のセット領域で記憶し、
設定可能な最大のシリアル番号を含む管理情報セットを所定のセット領域に記憶した後、さらに管理情報を記憶する場合、０番目を示すシリアル番号を含むＸ個の初期化用の管理情報セットを１番目のセット領域からＸ番目のセット領域で記憶し、１番目を示すシリアル番号を含む管理情報セットを１番目のセット領域で記憶する、
ことを特徴とする情報記憶媒体。
【請求項１０】
請求項９に記載の情報記憶媒体に対して情報を記録する情報記録方法であって、
１番目のセット領域からＸ番目のセット領域までのＸ個のセット領域に対して、順に、１番目を示すシリアル番号を含む管理情報セットからＸ番目を示すシリアル番号を含む管理情報セットまでのＸ個の管理情報セットを記録し、
さらに管理情報を記憶する場合、１番目のセット領域に対して、Ｘ＋１番目を示すシリアル番号を含む管理情報セットを記録し、
設定可能な最大のシリアル番号を含む管理情報セットを所定のセット領域に記憶した後、さらに管理情報を記憶する場合、１番目のセット領域からＸ番目のセット領域に対して、０番目を示すシリアル番号を含むＸ個の初期化用の管理情報セットを記録し、１番目のセット領域に対して１番目を示すシリアル番号を含む管理情報セットを記録する、
ことを特徴とする情報記録方法。
【請求項１１】
請求項９に記載の情報記憶媒体に対して情報を記録する情報記録装置であって、
情報記憶媒体に対して情報を記録する記録手段を備え、
前記記録手段は、
１番目のセット領域からＸ番目のセット領域までのＸ個のセット領域に対して、順に、１番目を示すシリアル番号を含む管理情報セットからＸ番目を示すシリアル番号を含む管理情報セットまでのＸ個の管理情報セットを記録し、
さらに管理情報を記憶する場合、１番目のセット領域に対して、Ｘ＋１番目を示すシリアル番号を含む管理情報セットを記録し、
設定可能な最大のシリアル番号を含む管理情報セットを所定のセット領域に記憶した後、さらに管理情報を記憶する場合、１番目のセット領域からＸ番目のセット領域に対して、０番目を示すシリアル番号を含むＸ個の初期化用の管理情報セットを記録し、１番目のセット領域に対して１番目を示すシリアル番号を含む管理情報セットを記録する、
ことを特徴とする情報記録装置。
【請求項１２】
請求項９に記載の情報記憶媒体から情報を再生する情報再生方法であって、
１番目のセット領域からＸ番目のセット領域に記憶された管理情報セットの中で、最大のシリアル番号を含む管理情報セットを最新の管理情報セットとして読み出すことを特徴とする情報再生方法。
【請求項１３】
請求項９に記載の情報記憶媒体から情報を再生する情報再生装置であって、
情報記憶媒体から情報を再生する再生手段を備え、
前記再生手段は、
１番目のセット領域からＸ番目のセット領域に記憶された管理情報セットの中で、最大のシリアル番号を含む管理情報セットを最新の管理情報セットとして読み出すことを特徴とする情報再生方法。
【発明の詳細な説明】
【技術分野】
【０００１】
本発明は、光ディスク等の情報記憶媒体、このような情報記憶媒体に対して情報を記録する情報記録、このような情報記憶媒体から情報を再生する情報再生等の技術に関する。
【背景技術】
【０００２】
近年、記録可能な光ディスクの普及により、ユーザサイドで個人の嗜好に合わせた記録ディスクを作成することが可能になっている。また、記録可能な光ディスクに関する様々な技術も提案されている（特許文献１参照）。
【特許文献１】特開２００５−１２９１１６
【発明の開示】
【発明が解決しようとする課題】
【０００３】
特許文献１には、例えば、複数の記録管理作業領域（ＲＺｏｎｅ）の情報を保持した管理情報を記録する技術が記載されている。しかしながら、特許文献１には、ディスクに形成可能な記録管理作業領域の数の制限に関する記述、及びこれを制限するための管理情報に関する記述はない。
【０００４】
記録可能な光ディスクでは、互換性の確保が重要である。つまり、特定のドライブで記録された光ディスクを、他のドライブでも再生可能な状態にすることが重要である。記録管理作業領域の数の制限が異なると、異なるドライブ間で互換性が取れなくなることがある。
【０００５】
本発明の目的は、記録可能メディアの性能向上を図る技術を提供することにある。
【課題を解決するための手段】
【０００６】
この発明の一実施形態に係る情報記憶媒体は、管理情報を記憶するための管理領域と、
データを記憶するためのデータ領域とを備え、前記データ領域は、順次形成される複数の記録領域を記憶する領域であって、Ｍ（Ｍ：自然数）番目の記録領域の閉鎖を条件として形成されるＭ＋１番目の記録領域を記憶し、前記管理領域は、各記録領域の開始位置情報を記憶するための第１の領域と、前記データ領域に記憶された記録領域の個数情報を記憶するための第２の領域とを含み、前記第１の領域は、最大Ｎ個（Ｍ＜Ｎ、Ｎ：自然数）の記録領域の開始位置情報を記憶可能な領域であり、前記第２の領域は、最大Ｎ＋１の値を記憶可能な領域であり、前記第１の領域が、Ｍ＋１番目の記録領域の開始位置情報を記憶することにより、Ｍ番目の記録領域の閉鎖条件の一つを満たし、前記第２の領域が、Ｎ＋１の値を記憶することにより、Ｎ番目の記録領域の閉鎖条件の一つを満たす。
【０００７】
この発明の一実施形態に係る情報記録方法は、上記した情報記憶媒体に対して情報を記録する情報記録方法であって、Ｍ番目の記録領域の閉鎖指示に対応して、前記第１の領域に対してＭ＋１番目の記録領域の開始位置情報を記録し、Ｎ番目の記録領域の閉鎖指示に対応して、前記第２の領域に対してＮ＋１の値を記録するとともに、Ｎ＋１番目の記録領域の形成を禁止する。
【０００８】
この発明の一実施形態に係る情報記録装置は、上記した情報記憶媒体に対して情報を記録する情報記録装置であって、情報記憶媒体に対して情報を記録する記録手段を備え、前記記録手段は、Ｍ番目の記録領域の閉鎖指示に対応して、前記第１の領域に対してＭ＋１番目の記録領域の開始位置情報を記録し、Ｎ番目の記録領域の閉鎖指示に対応して、前記第２の領域に対してＮ＋１の値を記録するとともに、Ｎ＋１番目の記録領域の形成を禁止する。
【発明の効果】
【０００９】
本発明によれば、記録可能メディアの性能向上を図る技術を提供できる。
【発明を実施するための最良の形態】
【００１０】
以下、図面を参照し、本発明の実施形態について説明する。
【００１１】
（光ディスクシステムの説明）
図１は、本発明の一実施形態に係る情報記録再生システムの概略構成を示す図である。図１に示すように情報記録再生システムは、光ディスク１０及びプレーヤ／レコーダ１６を備えている。また、プレーヤ／レコーダ１６は、光ディスク装置１２及びホスト１４を備えている。
【００１２】
光ディスク１０は、映像及び／又はユーザデータ等の情報を記憶する媒体である。光ディスク装置１２は、光ディスク１０に情報を記録したり、光ディスク１０から情報を再生したりする。ホスト１４は、光ディスク装置１２に指令を発行し、光ディスク装置１２を介して光ディスク１０から必要な情報を読み出し、映像の再生やユーザへの情報の表示等を行う。
【００１３】
ホスト１４は、例えば、ＣＰＵ（Ｃｅｎｔｒａｌ  Ｐｒｏｃｅｓｓｉｎｇ  Ｕｎｉｔ）、作業領域として用いられるＲＡＭ（Ｒａｎｄｏｍ  Ａｃｃｅｓｓ  Ｍｅｍｏｒｙ）、設定パラメータ及びその他電源が落とされても保持しておくべき種々のデータを記憶保持するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）又はフラッシュメモリーなどの不揮発性メモリを備える。これらの不揮発性メモリには、ユーザの要求に対して実行される種々のプログラム及び処理に必要なデータやファイル管理に必要なファイルシステム等が記録されている。たとえば、ＤＶＤビデオフォーマットのＵＤＦブリッジファイルシステム、ＤＶＤビデオレコーディングフォーマットのＵＤＦファイルシステム、また、次世代ビデオフォーマットのＵＤＦファイルシステム、次世代ビデオレコーディングフォーマットのＵＤＦファイルシステム、アプリケーションソフトなどが搭載されている。
【００１４】
一方、パーソナルコンピュータ等のシステムでは、図２に示すようにパーソナルコンピュータがホストＰＣ１８となる。光ディスク装置１２に対する指示の発行は、OS（オペレーションソフト）やライティングソフト、ビデオ再生ソフトといったアプリケーションソフトを実行することにより行われる。
【００１５】
（光ディスク装置）
図３は、本発明の一実施形態に係る光ディスク装置のブロック図である。光ディスク装置は、光学ヘッド（ピックアップヘッド：PUH）アクチュエータ２２から出射されるレーザー光を光ディスク１０の情報記録層に集光することで、情報の記録再生を行っている。光ディスク１０から反射した光は、再び、PUHアクチュエータ２２の光学系を通過し、フォトディテクター（ＰＤ）２４で電気信号として検出する。検出された電気信号は、プリアンプ２６で増幅され、サーボ回路２８、ＲＦ信号処理回路３０、アドレス信号処理回路３２に出力される。サーボ回路２８では、フォーカス、トラッキング、チルト等のサーボ信号が生成され、各信号がそれぞれ、PUHアクチュエータ（フォーカス、トラッキング、チルトアクチュエータ）２２に出力される。ＲＦ信号処理回路３０、アドレス信号処理回路３２における記録されたデータの読み取りや、アドレス信号等のこの際の復調方法としては、スライス方式やPRML（Partial Response Maximum Likelihood）方式がある。光ディスク装置は記録再生の対象となる光ディスク１０とPUHアクチュエータ２２によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。また、PRML方式に関しても、再生信号の周波数特性に対応して、最適なPRクラスたとえば、PR(1,2,2,21)や、PR(1,2,1)、PR(1,2,2,1)、PR(3,4,4,3)等が選択される。アドレス信号処理回路３２では、検出された信号を処理することにより、光ディスク上の記録位置を示す物理アドレス情報を読み出し、コントローラー３４に出力する。コントローラー３４はこのアドレス情報を元に、所望の位置のユーザデータ等のデータを読み出したり、所望の位置にデータを記録したりする。この際、データは記録信号処理回路３６で光ディスク記録に適した記録波形制御信号に変調される。この信号を元にLD駆動回路（ＬＤＤ）３８は光学ヘッド２２内のレーザダイオード（LD）を発光させ、光ディスク１０に情報を記録する。
【００１６】
また、本実施形態ではレーザダイオードの波長は４０５±１５ｎｍである。また、光学ヘッド２２内で上記波長の光を光ディスク上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭIntensity”と呼ぶ。ＨＤ＿ＤＶＤフォーマットにおける前記ＲＩＭ  Intensityの値は５５〜７０％になるように設定してある。この時の光学ヘッド２２内での波面収差量は使用波長λに対して最大０．３３λ（０．３３λ以下）になるように光学設計されている。
【００１７】
またコントローラー３４は、光ディスクに対してＲＺｏｎｅを形成する機能（ＲＺｏｎｅ形成のために必要な情報を記録する機能）、光ディスクに形成されたＲＺｏｎｅを閉鎖する機能（ＲＺｏｎｅ閉鎖のために必要な情報を記録する機能）、光ディスクに記録する記録マネジメントデータ（ＲＭＤ）を生成する機能（ＲＭＤを記録する機能及びＲＭＤを複製する機能）、最新のＲＭＤのインビジブルＲＺｏｎｅ番号からホストへの応答を判断する機能、光ディスクに記録された最新のＲＭＤを検索する機能、ＲＭＤシリアル番号からＲＭＤ初期化処理を実行するか否か判断する機能、ＲＭＤ初期化処理を実行する機能等を有している。
【００１８】
（光ディスク）
図４に本発明の実施形態の一つである２つの情報記録再生層を有する情報記録媒体である光ディスク１０の模式図を示す。なお、情報記録媒体は、単層であってもよい。光ディスク１０は、クランプ孔を備え、さらに、複数の情報記録層（以下レイヤー）を備える。レイヤーは、光の入射側から順にレイヤーＬ０（レイヤーナンバー０）、レイヤーＬ１（レイヤーナンバー１）が配置されている。また、光ディスク１０は、記録マークを一箇所に一回だけ可能な追記型と記録マークの上書き、消去が可能な書き換え型の２種類がある。
【００１９】
図５に本発明の実施形態の一つである光ディスク１０のエンボス領域と書換え可能な記録領域の物理仕様を示す。ここで、回転制御方式のCLVとはConstant liner velocityの略で、線方向の速度を一定に保った回転制御方法を意味している。また、ETM（Eight to Twelve modulation）とは変調方式の一つで、８ビットの情報ビットごとに、冗長性を持たせた１２ビットのチャネルビットに変換して信号を記録する方式である。この冗長性を持たせた事により、直接情報ビットを光ディスクに記録する場合に比べ情報の記録再生の信頼度が飛躍的に向上している。
【００２０】
光ディスク１０の各レイヤーＬ０、Ｌ１には情報の記録再生の案内溝となる凹凸、グルーブが形成されている。ここで、光入射側から見て手前をグルーブ、奥をランドと呼ぶ。ディスクには、グルーブのみに記録を行うもの、ランドのみに記録を行うもの、グルーブとランドの両方に記録を行うものがある。さらに、この案内溝は半径方向にサイン波状に蛇行（ウォブル）している。そしてこのサイン波の位相を切り替えることにより情報記録領域における物理的な位置を示す物理アドレス情報やディスクの固有情報を記録している。ウォブルの変調領域は、93ウォブル中16ウォブル設けられており、さらにウォブル信号に記録する情報の1ビットに当たる1シンボルは4ウォブルで構成される。ウォブルの形状は特にこれに限定するものではないが、以下特に断りのない限りこの値を参考に説明を進める。
【００２１】
（情報記録層のレイアウト）
図６に２層の情報記録層を有する光ディスク１０（以下２層光ディスク）の各層の構成を示す。２つのレイヤーＬ１、Ｌ２の構成はほぼ同じであるが、BCA領域に関しては、一番奥の層、今回の例ではレイヤーＬ１にのみ配置される。これは、BCA領域からの情報の読み出しを安定化するためである。BCA領域の信号の記録に用いられるBCAマークは層間のクロストークが大きいため、BCA領域を2つのレイヤーＬ１、Ｌ２に用いると、相互の信号の干渉が発生し、情報の読みだしが困難になる。
【００２２】
レイヤーＬ１の領域の構成は内周側からバーストカッティング(BCA：Burst cutting area)領域、エンボス管理領域（System Lead-in or System Lead-out area）、接続領域（Connection area）、内周記録可能管理領域（Data Lead-in or Data Lead-out are）、データ領域（Data area）、外周記録可能管理領域（Middle area）に区分されている。BCA領域には、基板の溝や、反射膜の剥離、記録媒体の変化によってBCAマークがあらかじめ記録されている。BCAマークは光ディスクの円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、BCAマークは半径方向に同一の形状を持っているため、トラッキングをかける必要がなく、フォーカスをかけただけで情報の再生が可能となる。
【００２３】
エンボス管理領域にはエンボスピットで情報が記録されている。この情報は、ディスクの識別情報やデータ領域の容量といった、光ディスク１０の管理情報である。これらの情報が、コントロールデータセクションの物理フォーマット情報、ディスク製造者情報、コピーライトデータセクションの情報として保存されている。また、この領域のエンボスピットの最短マーク長はデータ領域の倍の値になっている。この結果、通常のデータ領域はPRML方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２４】
接続領域は、なにもグルーブやピット等がなにも形成されていない領域である。
【００２５】
次に記録可能管理領域には、データ領域と同じように、案内溝であるグルーブが形成されている。この領域には、データ領域と同じ密度で信号の記録の記録を行う。この領域には、試し書きようのテスト領域や、データ領域の記録状態を把握するためのマネジメント領域、DPDトラッキング用のトラッキングオーバーラン領域、層間のクロストーク量を一定に保つためのガード領域等が配置される。
【００２６】
データ領域には、映像データやユーザデータといったデータ等が記録される。 
図示しないが、情報記録層が１層の光ディスク１０（以下単層光ディスク）の場合、情報記録層は内周側から、バーストカッティング(BCA：Burst cutting area)領域、エンボス管理領域（System Lead-in area）、接続領域（Connection area）、内周記録可能管理領域（Data Lead-in are）、データ領域（Data area）、外周記録可能管理領域（Data Lead-out are）に区分される。
【００２７】
（詳細レイアウト）
図７に本発明の実施形態の一つである２層光ディスクの記録可能領域の詳細なレイアウトの一例を示す。レイヤーＬ０の内周記録可能管理領域には、内側から、第１ブランク領域Ｚ１、ガードトラック領域Ｚ２、ドライブテスト領域Ｚ３、ディスクテスト領域Ｚ４、第２ブランク領域Ｚ５、記録マネジメントデータ複製領域Ｚ６、記録マネジメント領域Ｚ７、Ｒ物理フォーマット情報領域Ｚ８、リファレンスコード領域Ｚ９が設定されている。
【００２８】
レイヤーＬ１の内周側記録可能管理領域には、内側から第５ブランク領域Ｚ２３、ディスクテスト領域Ｚ２２、ドライブテスト領域Ｚ２１、ガードトラック領域Ｚ２０が配置されている。
【００２９】
ブランク領域は境界を分離することや、記録領域の層間のクロストーク量を一定にする目的で配置されたデータをまったく記録しない領域である。この記録領域の層間のクロストーク量を一定にする領域をクリアランスとも呼ぶ。ガード領域は、ＤＰＤトラッキングのオーバーラン対策や層間クロストーク対策の為に、ダミーデータが記録される領域である。テスト領域は、光ディスク１１に管理情報やユーザ情報を記録する前に、記録波形を最適化するための試し書きをする領域である。マネジメント領域及びマネジメントデータ複製領域は、データ領域に記録中のデータの状態を管理するためのマネジメントデータが記録される領域である。
【００３０】
レイヤーＬ０のテスト領域Ｚ１２，Ｚ１３はエンボス管理領域のクロストークを避けるため、エンボス管理領域からクリアランス（第１ブランク領域Ｚ１）の分だけ離れた位置に配置されている。そして、レイヤーＬ０のテスト領域Ｚ３，Ｚ４とマネジメント領域Ｚ６，Ｚ７は狭いブランク領域Ｚ５をはさんで近接して配置されており、これらの領域はレイヤーＬ１のガード領域Ｚ２０と重なるように設けられている。そして、レイヤーＬ１のガード領域Ｚ２０は、レイヤーＬ０のテスト領域Ｚ３，Ｚ４の幅とマネジメント領域Ｚ６、Ｚ７の幅の合計に対して、両側のクリアランスの分だけ広い幅となっている。一方、レイヤーＬ１のテスト領域Ｚ２１，Ｚ２２は、レイヤーＬ０のガード領域Ｚ２と重なるように設けられており、両側のクリアランスの分だけレイヤーＬ０のガード領域Ｚ２より幅が狭くなっている。
【００３１】
ここで、光ディスク装置１２はガード領域Ｚ２に対しては、ユーザデータの記録とは関係なく、均一にダミーデータの記録をしたり、未記録のまま保持したりしておく。このように本実施形態に係る光ディスク装置１２では、テスト領域Ｚ２１，Ｚ２２とマネジメント領域Ｚ６，Ｚ７と重なる反対の層の状態が常に、記録状態か、未記録状態の一定の状態とすることで、安定した試し書きや、マネジメントデータの記録が可能になるという特徴がある。
【００３２】
次に、レイヤーＬ０の外周記録可能管理領域には内側からガード領域Ｚ１１、ドライブテスト領域Ｚ１２、ディスクテスト領域Ｚ１３、ブランク領域Ｚ１４が配置される。同様に、レイヤーＬ１の外周側記録可能管理領域には内側からガード領域Ｚ１８、ドライブテスト領域Ｚ１７、ディスクテスト領域Ｚ１６、ブランク領域Ｚ１５が配置される。
【００３３】
ここでも内周側と同様に、テスト領域Ｚ２１，Ｚ２２と重なる反対側のレイヤーＬ０にはガード領域Ｚ２が配置されており、ガード領域Ｚ２の幅はテスト領域の幅の両側にクリアランスの幅を設けた幅よりも広くなっている。
【００３４】
図８に本発明の実施形態の一つである単層光ディスクの記録可能領域の詳細なレイアウトの一例を示す。各領域の目的や使用方法は２層光ディスクと同様である。
【００３５】
（管理領域）
図９に記録マネジメントデータ複製領域及び、記録マネジメント領域を含むマネジメント領域の構成を示す。記録マネジメントデータ複製領域の最初のブロックにはリードイン記録マネジメントデータ（リードインＲＭＤ）が記録される。次に、記録マネジメントデータ複製領域の残りのブロックにはＲＭＤを記録する領域が割り当てられる。記録マネジメント領域は全体がＲＭＤを記録する領域である。ここで、リードインＲＭＤは光ディスク装置１２がマネジメント領域に最初にデータを記録する際に記録する情報である。この中には記録を行う光ディスク装置１２の製造会社の識別番号である記録再生装置製造会社識別番号や、その装置のシリアル番号、モデル番号が設定される。ディスク固有番号にはディスク識別用にディスク毎に固有な番号を光ディスク装置１２が記録する。
【００３６】
次に、記録マネジメントデータ複製領域のＲＭＤを記録するための領域には、「データ領域にマネジメント領域が拡張された場合」、「光ディスクがファイナライズ状態になった場合でかつ記録マネジメントデータ複製領域に空き領域がある場合」のいずれかの場合に、記録マネジメント領域に記録された最新のＲＭＤの複製を記録する。
【００３７】
記録マネジメント領域にはデータ領域の記録状態を表すＲＭＤをＲＭＤの内容が変更されたことに合わせて1ブロック毎に記録していく。ここで、追記型ディスクでは情報の上書きができないため、ＲＭＤの内容が更新されるたびに、内周側から次の未使用ブロックに次々に情報が追記されていく。したがって、もっとも外側にある情報が最新のＲＭＤ情報ということになる。書き換え型のディスクでも順にＲＭＤを更新していくが、一旦外側まで記録が実施された場合には、再び内周側からＲＭＤを上書きしていく。この場合には、一番外側のＲＭＤが最新でない場合もある。このような場合には最新のＲＭＤの判定に後述のＲＭＤシリアル番号が用いられる。
【００３８】
（RMDの内容）
図１０にＲＭＤの構成を示す。ＲＭＤは32のセクタで構成されており、第一のセクタであるセクタ０は予備のフィールドとなっており、通常すべて０のデータが保存されている。次のセクタ１からセクタ２２までは順番にフィールドが割り当てられており、それぞれ異なる情報が記録されている。フィールド０には、光ディスクの記録状態や、テスト領域の位置など光ディスクの状態を示す情報が保存される。また、フィールド１には、ドライブが使用したドライブテスト領域の位置や、最適化した記録波形、記録波形最適化の為の目標値など記録波形に関わる情報が保存される。フィールド２には、ユーザが指定した任意の情報が保存される。フィールド３にはデータ領域に形成されたボーダの範囲や、データ領域に拡張された拡張記録マネジメント領域の範囲が保存される。フィールド４からフィールド２１には、データ領域に記録されたユーザデータの範囲を管理する単位であるＲＺｏｎｅの範囲が保存される。フィールド４には特に、情報の記録が可能なＲＺｏｎｅの番号などの情報が保存されている。
【００３９】
（フィールド0）
図１１にフィールド０の内容を示す。RMD記録形式識別子には、RMDのデータの記録形式を表す情報が記録される。例えば、追記型のディスクであれば、0001h、書き換え型のディスクであれば0002hを記録する。ディスク状態情報には、光ディスクの状態を表す情報が記録される。例えば、00hはデータ領域に有効なユーザデータが記録されていないエンプティ状態を示す。02hは光ディスクに情報が記録されているが、ファイナライズされていない状態を示す。03hは光ディスクがファイナライズされている情報であることを示す。その他の番号には、光ディスクがユーザーモード（MODE U）で記録されている状態や、フォーマット動作中の状態、記録禁止の状態等が割り当てられている。
【００４０】
ユニークディスクＩＤには、リードインＲＭＤのディスク固有番号と同様の情報が記録される。データエリア構造には、光ディスク１０のユーザデータ記録可能領域、即ちデータ領域の開始物理セクタの物理セクタ番号（ＰＳＮ）や終了物理セクタの物理セクタ番号（ＰＳＮ）を記録する。更新データエリア構造には、光ディスク１０のデータ領域の大きさを変更した際に、その範囲を記録する。図１２に更新データエリア構造の内容を示す。更新識別子には、データエリア構造を更新したか否かを示すフラグ情報、または更新の方法を示すフラグ情報を記録する。例えば、更新されていない場合には００ｈ、ミドル領域の拡張によりデータエリアの構造が更新されていれば、０１ｈを記録する。パディング状態情報は、情報の各ビットが、図７や図８に示す光ディスク１０の各エリアと対応しており、対応したエリアがパディング済みの場合はそのビットを１ｂに、パディングがすんでいない場合には、０ｂに設定する。ＲＭＤ初期化識別子は、ＲＭＤ初期化が実行された場合には、１ｂが設定され、光ディスク１０がＲＭＤ初期化されたことがあるか否かを判定することに利用される。ターミネータの最終記録ＰＳＮには、ターミネータの記録を途中で中断した場合に、中断した位置を保存するための領域である。テスト領域配置情報は、光ディスク１０に複数配置されたテスト領域のそれぞれの開始ＰＳＮと終了ＰＳＮが記録される。
【００４１】
ＲＭＤ位置情報は、７ビットのＲＭＤ set番号、２ビットのＲＭＤオーダー番号、２２ビットのＲＤＭシリアル番号で構成されている。ＲＭＤオーダー番号はＲＭＤがＲＭＤ  ｓｅｔという単位で取り扱われる場合に、ＲＭＤ  ｓｅｔ内のＲＭＤの順序を示す番号である。また、ＲＭＤシリアル番号はＲＭＤの更新回数を示す情報で、はじめのＲＭＤの記録ではこのシリアル番号を０とし、ＲＭＤの内容を書き換えて、ＲＭＤを更新するたびに、１ずつ増加させていく。また、ＲＭＤ  ｓｅｔ番号は記録マネジメント領域内のＲＭＤ  ｓｅｔの位置を示す情報で、記録マネジメント領域内のすべてのＲＭＤ  ｓｅｔに順番に番号が振られている。追記型のディスクでは記録マネジメント領域の最外周に記録されたＲＭＤが最新のＲＭＤとなる。一方、書き換え型ディスクでは、記録マネジメント領域を繰り返し使用するため、もっとも外周にある情報が最新のＲＭＤとは限らない。従って、書き換え型の光ディスク１０ではこの記録マネジメントデータを更新した回数であるＲＭＤシリアル番号が最大のものを検索することで、最新の記録マネジメントデータを決定することが可能となる。
【００４２】
（フィールド3）
ＲＭＤのフィールド３には、図１３に示すように光ディスク１０に形成されるボーダの範囲と、データ領域に拡張された拡張記録マネジメント領域（Ｂ／Ｕ−記録マネジメント領域）の範囲を表す情報が保存される。ボーダの範囲は、Ｎ番目ボーダアウト開始ＰＳＮという形で、１２８個まで保存することが可能である。また、拡張記録マネジメント領域はＮ番目のＢ／Ｕ−記録マネジメント領域の開始ＰＳＮとそのサイズという形で１２７個まで保存することが出来る。さらに、現在使用中のＢ／Ｕ−記録マネジメント領域の番号を保存するオープンＢ／Ｕ−記録マネジメント領域番号が用意されている。
【００４３】
（フィールド4）
ＲＭＤのフィールド４には、図１４に示すように光ディスク１０のデータ領域に記録されたユーザデータの位置を管理するためのＲＺｏｎｅの範囲を表す情報が保存される。インビジブルＲＺｏｎｅ番号は、データ領域に配置されたインビジブルＲＺｏｎｅの番号、または光ディスク１０に記録されたすべてのＲＺｏｎｅの個数の総和を示す値が記録される。また第一オープンＲＺｏｎｅ番号には現在ユーザデータの記録が可能なＲＺｏｎｅの番号が保存される。また第二オープンＲＺｏｎｅ番号にも同様に現在ユーザデータの記録が可能な他のＲＺｏｎｅの番号が保存される。ＲＺｏｎｅの範囲はＮ番目のＲＺｏｎｅの開始ＰＳＮ及び、Ｎ番目のＲＺｏｎｅの最終記録ＰＳＮという形で保存される。フィールド４にはこのＲＺｏｎｅの開始ＰＳＮと最終記録ＰＳＮが254個保存可能である。
【００４４】
（フィールド5から21）
ＲＭＤのフィールド５から２１には、図１５に示すようにＲＭＤのフィールド４と同様の方法で、ＲＺｏｎｅの開始ＰＳＮと最終記録ＰＳＮが保存される。結果として、ＲＭＤのフィールド４から２１の間で、4606個分のＲＺｏｎｅの開始ＰＳＮと最終記録ＰＳＮを保存することが出来る。
【００４５】
（インビジブルＲＺｏｎｅ番号）
ここで本発明の実施形態の一つである光ディスクシステムのインビジブルＲＺｏｎｅ番号の特殊な用法について述べる。光ディスク１０のインビジブルＲＺｏｎｅ番号には、ＲＭＤのフィールド４から２１で設定可能なＲＺｏｎｅの数である４６０６個よりも１多い、４６０７までの値を設定することが出来る。さらに、光ディスク１０はインビジブルＲＺｏｎｅ番号にこの４６０７が設定された場合には、データ領域の４６０７番のインビジブルＲＺｏｎｅへの記録を禁止する。
【００４６】
一方、光ディスク装置１２は４６０６番目のＲＺｏｎｅに記録を行い、これを閉じた場合には、インビジブルＲＺｏｎｅ番号に４６０７を設定し、それ以降は４６０７番のインビジブルＲＺｏｎｅへの記録を実施しない。
【００４７】
（物理フォーマット情報）
図１６にＲ物理フォーマット情報領域に保存される、物理フォーマット情報（ＰＦＩ）の構成を示す。ＰＦＩは２０４８バイトで構成されている。ブックタイプは光ディスク１０のフォーマット及び再生専用、追記型、書き換え型等を示す識別子である。パートバージョンは、そのフォーマットのバージョン管理情報である。ディスクサイズにはそのディスクの直径を示す情報が記録される。例えば１２ｃｍのディスクであれば００００ｂ、８ｃｍのディスクであれば０００１ｂが記録される。最大転送レートには必要であれば、ディスクに記録されたデータを正常に再生するのに必要となる最大の転送レートが記録される。ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。記録密度には、ディスク接線方向の密度とトラックピッチを表す情報が記録される。データエリア構造にはボーダアウトまたはターミネータまでの範囲が記録される。ＢＣＡ識別子には、ＢＣＡがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤーＬ０及びレイヤーＬ１に配置されたディスクの種類が記録される。
【００４８】
マーク極性情報には記録マークの反射率が未記録部に対して、高いか低いかを示す情報が記録されている。ここが００００００００ｂであれば、記録マークの反射率は未記録部より高く、ここが１０００００００ｂであれば、記録マークの反射率が未記録部よりも低いことを示す。標準速度情報には、標準の記録速度が記録される。たとえば本実施形態の光ディスク１０では６.６ｍ／ｓとなる。
【００４９】
次に、リム強度情報には、後述の記録波形情報を決定した際のＰＵＨのリム強度の値を記録する。再生パワー情報には、データ領域を再生する場合に必要な再生パワーの値を指定する。実効記録スピード情報には、そのディスクが対応可能な記録スピードの実際の値がすべて記録されている。データ領域反射率（Ｌ０）にはレイヤーＬ０のデータ領域にデータを記録した後の反射率が示されている。
【００５０】
ここで、マーク極性情報が００００００００ｂであれば、マーク部の反射率１０００００００ｂであれば、非マーク（スペース）部の反射率が記録される。次に、プッシュプル信号振幅情報（Ｌ０）にはレイヤーＬ０のプッシュプル信号を和信号で正規化した値と、記録再生を行うトラックを示すトラック情報が記録される。トラック情報が０ｂである場合、信号の記録再生はグルーブで実施することになり１ｂである場合には、ランドで実施することになる。また、オントラック信号情報（Ｌ０）は、レイヤーＬ０のデータ領域の未記録部の和信号レベルをエンボス管理領域の最大反射レベルで規格化した値が記録される。データ領域反射率情報（Ｌ１）からオントラック信号情報（Ｌ１）までのバイトには、レイヤーＬ１の情報がそれぞれ記録される。
【００５１】
次に、記録波形情報（Ｌ０）及び（Ｌ１）にはそれぞれ、ディスク製造メーカが推奨するレイヤーＬ０及びレイヤーＬ１の最適な記録波形情報が記録される。これは、記録波形のピークパワーの値やボトムパワーの値、先頭、中間、最終パルスの開始終了位置などの値である。これらの情報は基本的に、データエリア構造を除いて、エンボス管理領域に記録されている物理フォーマット情報と同一の情報となっている。データエリア構造については、データ領域に形成されたＲＺｏｎｅの範囲やボーダの範囲によって変化する。
【００５２】
（記録手順）
図１７Ａ、図１７Ｂに本発明の実施形態の一つである光ディスク１０に対する記録の手順を示す。
【００５３】
本実施形態の光ディスクシステムは、光ディスク１０に対して記録を開始する際には、まずリードインRMDを記録マネジメント複製領域に記録する。続いて、データ領域にユーザデータ等のデータを記録し、その状態を表したRMD“Ｌ”を記録マネジメント領域に記録する。この状態が、図１７Ａの（１）の状態となる。ここで、RMDのフィールド４の１番目のＲＺｏｎｅの開始ＰＳＮにはデータ領域の開始ＰＳＮが保存される。１番目のＲＺｏｎｅの最終記録ＰＳＮには図の“ａ”番が保存される。一方、インビジブルＲＺｏｎｅ番号には１が設定される。残りの値はすべて０である。
【００５４】
次に、光ディスクシステムは、一通りユーザデータの記録が完了したら、ＲＺｏｎｅを閉じることが出来る。これが図１７Ａの（２）の状態である。光ディスクシステムのホスト部から、光ディスク装置１２に対して、ＲＺｏｎｅを閉じる指示が発行された場合、光ディスク装置１２は光ディスク１０に新たなＲＭＤ“Ｌ”を記録する。ここで、このＲＭＤのフィールド４の１番目のＲＺｏｎｅの開始ＰＳＮにはデータ領域の開始ＰＳＮが保存される。１番目のＲＺｏｎｅの最終記録ＰＳＮには図の“ａ”番が保存される。次に、２番目のＲＺｏｎｅの開始ＰＳＮには図の“ａ”+1番が保存される。一方、インビジブルＲＺｏｎｅ番号には２が設定される。残りの値はすべて０である。このように、本実施形態の光ディスク１０では、ＲＺｏｎｅ＃1を閉じると、自動的に新たなＲＺｏｎｅ＃２が形成される。ここで、ＲＺｏｎｅが閉じた状態となるためには、インビジブルＲＺｏｎｅ番号が4607となる特殊な条件を除き、以下の３つの条件を満たす必要がある。
【００５５】
１．そのＲＺｏｎｅの次のＲＺｏｎｅの開始ＰＳＮがＲＭＤのフィールド４に保存されている。
【００５６】
２．そのＲＺｏｎｅの開始ＰＳＮで指定された物理セクタから、次のＲＺｏｎｅの開始ＰＳＮに保存された物理セクタのひとつ前のＰＳＮまでがすべて記録されている。
【００５７】
３．そのＲＺｏｎｅの番号が、第一もしくは第二オープンＲＺｏｎｅ番号に保存されていない。
【００５８】
次に、光ディスクシステムは状況に応じて、記録マネジメント領域をデータ領域に拡張することが可能である。このデータ領域に拡張された記録マネジメントデータをＵ-記録マネジメント領域と呼ぶ。これが図１７Ａの（３）の状態である。光ディスクシステムのホスト部から、光ディスク装置１２に対して、記録マネジメント領域を拡張する指示が発行された場合、光ディスク装置１２は光ディスク１０に新たなＲＭＤ“Ｌ”を記録する。この時、現在使用している記録マネジメント領域全体にこの新たなＲＭＤ“Ｌ”を記録し、さらに、記録マネジメントデータ複製領域にも一つだけ、新たなＲＭＤ“Ｌ”をコピーする。ここで、新たなＲＭＤ“Ｌ”のフィールド３の１番目のＢ／Ｕ−記録マネジメント領域の開始ＰＳＮには、“ａ”+1番が保存される。１番目のＢ／Ｕ−記録マネジメント領域のサイズには拡張したＵ-記録マネジメント領域の物理セクタ数、例えば128（10進数）が保存される。オープンＢ／Ｕ−記録マネジメント領域番号には１が保存される。また、フィールド４の２番目のＲＺｏｎｅの開始ＰＳＮには図の“ｂ”番が保存される。一方、インビジブルＲＺｏｎｅ番号には２が設定される。残りの値はすべて０である。
【００５９】
通常、光ディスクシステムは、光ディスク１０のインビジブルＲＺｏｎｅにはユーザデータ等のデータが記録可能であるため、ユーザ指示に応じて再度データを記録することが出来る。この状態が図１７Ａの（４）の状態である。ここで、新たなＲＭＤ“Ｌ”は拡張されたＵ−記録マネジメント領域に記録されることになる。この新たなＲＭＤ“Ｌ”のフィールド４の２番目のＲＺｏｎｅの開始ＰＳＮには図の“ｂ”番が保存される。２番目のＲＺｏｎｅの最終記録ＰＳＮには図の“ｃ”番が保存される。一方、インビジブルＲＺｏｎｅ番号には２が設定される。
【００６０】
光ディスクシステムは、ＲＺｏｎｅの予約という処理を行うことが可能である。この状態が図１７Ｂの（５）の状態である。光ディスクシステムのホスト部から、光ディスク装置１２に対して、2番目のＲＺｏｎｅの予約を行う指示が発行された場合、光ディスク装置１２は光ディスク１０に新たなＲＭＤ“Ｌ”を記録する。ここで、新たなＲＭＤ“Ｌ”のフィールド４の２番目のＲＺｏｎｅの開始ＰＳＮには図の“ｂ”番が保存される。２番目のＲＺｏｎｅの最終記録ＰＳＮには図の“ｃ”番が保存される。さらに、３番目のＲＺｏｎｅの開始ＰＳＮには図の“ｄ”番が保存される。また、インビジブルＲＺｏｎｅ番号には３が設定され、第一オープンＲＺｏｎｅ番号には２が設定される。残りの値はすべて０である。即ち、本実施形態の光ディスクシステムでは、２番目のＲＺｏｎｅの予約によって、自動的に新たなインビジブルＲＺｏｎｅ＃３が形成される。この状態では、第一オープンＲＺｏｎｅに設定されたＲＺｏｎｅ＃２の“ｃ”番の次の物理セクタからユーザデータの記録が可能であることに加え、インビジブルＲＺｏｅｎ＃３の“ｄ”番の物理セクタからもユーザデータの記録が可能である。
【００６１】
次に、光ディスクシステムは状況に合わせて、光ディスク装置１２のボーダを閉じることが出来る。この状態が図１７Ｂの（６）の状態である。光ディスクシステムのホスト部から、光ディスク装置１２に対して、ボーダを閉じる指示が発行された場合、光ディスク装置１２は光ディスクに次の情報を記録する。まず、記録済みのＲＺｏｎｅの次の物理セクタからボーダアウトを記録する。次に、Ｒ物理フォーマット情報を記録する。さらに、使用中の記録マネジメント領域（この例ではＵ-記録マネジメント領域）の残りの領域すべてに新たなＲＭＤ“Ｌ”を記録し、加えて、記録マネジメントデータ複製領域に1つだけ、新たなＲＭＤ“Ｌ”をコピーする。また、ボーダインの一部には図示されないが、Ｂ−記録マネジメント領域が形成されている。ここで、新たなＲＭＤ“Ｌ”のフィールド３の１番目ボーダアウトの開始ＰＳＮには“ｄ”番が保存される。また、2番目のＢ／Ｕ−記録マネジメント領域の開始ＰＳＮには“e”番が保存され、2番目のＢ／Ｕ−記録マネジメント領域のサイズには、ボーダインに形成されたＢ−記録マネジメント領域のサイズが保存される。さらに、オープンＢ／Ｕ−記録マネジメント領域番号には２が保存される。フィールド４の３番目のＲＺｏｎｅの開始ＰＳＮには図の“f”番が保存される。また、インビジブルＲＺｏｎｅ番号には３が設定される。この状態ではオープンなＲＺｏｎｅは存在しないため、第一オープンＲＺｏｎｅ番号には０が設定される。
【００６２】
次に、インビジブルＲＺｏｎｅ＃３にユーザデータ等のデータを記録した状態が図１７Ｂの（７）の状態である。この状態では新たなＲＭＤ“Ｌ”はボーダイン内のＢ−記録マネジメント領域に記録される。
【００６３】
最後に光ディスクシステムは状況に応じて光ディスク１０をファイナライズすることが可能である。図１７Ｂの（８）に示す状態がこの状態である。光ディスクシステムのホスト部から、光ディスク装置１２に対して、ボーダを閉じる指示が発行された場合、光ディスク装置は光ディスクに次の情報を記録する。まず、記録済みのＲＺｏｎｅの次の物理セクタからボーダアウトを記録する。ここで、通常データ領域に記録する物理セクタに設定される物理セクタの領域タイプは、データ領域属性であるが、このボーダアウトの物理セクタに設定される物理セクタの領域タイプはリードアウト属性とする。次に、更新物理フォーマット情報“Ｕ”をボーダインの先頭に記録する。さらに、使用中の記録マネジメント領域（この例ではＢ−記録マネジメント領域）の残りの領域すべてに新たなＲＭＤ“Ｌ”を記録し、加えて、記録マネジメントデータ複製領域に記録可能領域が残っていた場合には1つだけ、新たなＲＭＤ“Ｌ”をコピーする。このファイナライズされた光ディスク１０における新たなＲＭＤ“Ｌ”のフィールド３の１番目ボーダアウトの開始ＰＳＮには“ｄ”番が、２番目のボーダアウトの開始ＰＳＮには“ｇ”番が保存される。また、フィールド４のインビジブルＲＺｏｎｅ番号は、３となる。ここで、ボーダインからボーダアウト２までの間は第二ボーダと呼ばれる。
【００６４】
また図示しないが、図１７Ｂの（６）の状態の光ディスク１０をファイナライズ状態にする場合には、ボーダインとされている領域にターミネータを記録し、さらに記録マネジメントデータ複製領域に記録可能領域が残っていた場合には1つだけ、新たなＲＭＤ“Ｌ”をコピーする。このファイナライズされた光ディスク１０における新たなＲＭＤ“Ｌ”のフィールド３の１番目ボーダアウトの開始ＰＳＮには“ｄ”番が保存される。また、フィールド４のインビジブルＲＺｏｎｅ番号は、２となり、３番目のＲＺｏｎｅ開始番号に記録されていた値“ｆ”番は消去される。ここで、ターミネータとは、含まれたすべての物理セクタに設定される物理セクタの領域タイプがリードアウト属性であり、データがすべて０となっている領域である。
【００６５】
このように、光ディスク１０ではデータ領域上に、複数のＲＺｏｎｅ、ボーダ、記録マネジメント領域を配置することが可能である。このように、光ディスク１０ではデータ領域に記録マネジメント領域を拡張していくことが可能であるため、追記型の光ディスクであっても、大量のＲＭＤをディスクに記録することが可能となる。
【００６６】
（ＲＺｏｎｅ数の限界例）
図１８Ａ、図１８Ｂに本実施形態の光ディスク１０において、ＲＭＤのフィールド４のインビジブルＲＺｏｎｅ番号が4606になった場合と、4607になった場合の状況を示す。図１８Ａの状態では、光ディスク１０上に4606個のＲＺｏｎｅが形成されている。ＲＭＤのフィールド４のインビジブルＲＺｏｎｅ番号は4606である。またこの例では、第一オープンＲＺｏｎｅが5番、第二オープンＲＺｏｎｅが4604番となっている。さらに、１番目から4605番目までのＲＺｏｎｅ開始ＰＳＮおよび、最終記録ＰＳＮにはそれぞれのＲＺｏｎｅに対応した値が記録されており、さらに4606番目のＲＺｏｎｅ開始ＰＳＮには4606番目のインビジブルＲＺｏｎｅのはじめの物理セクタのＰＳＮが保存されている。
【００６７】
この状態では、光ディスク１０の５番目、4604番目のＲＺｏｎｅ、4606番目のインビジブルＲＺｏｎｅに対してユーザデータ等のデータを記録することが出来る。
【００６８】
次に、4606番目のＲＺｏｎｅにデータを記録して閉じると自動的に4607番目のインビジブルＲＺｏｎｅが形成される。図１８Ｂの状態は、4606番目のＲＺｏｎｅにデータを記録して閉じた状態を示している。この状態では、最新のＲＭＤのフィールド４のインビジブルＲＺｏｎｅ番号は460７である。またこの例では、第一オープンＲＺｏｎｅが5番、第二オープンＲＺｏｎｅが4604番となっている。さらに、１番目から4606番目までのＲＺｏｎｅ開始ＰＳＮおよび、最終記録ＰＳＮにはそれぞれのＲＺｏｎｅに対応した値が記録されている。本実施形態の光ディスク１０では、この時形成されるインビジブルＲＺｏｎｅ＃4607にはユーザデータ等のデータの記録を禁止している。これは、この領域にデータを記録した場合、ＲＭＤのフィールド４にはそのデータの最終記録ＰＳＮを保存する領域が無いため、記録データの管理が不可能となってしまうためである。従って、この例では５番目、4604番目のＲＺｏｎｅにデータの記録が可能となる。
【００６９】
このように、本実施形態の光ディスクシステムでは、ＲＭＤの管理情報に、4606個のＲＺｏｎｅの開始ＰＳＮと最終記録ＰＳＮを保存可能である。さらにインビジブルＲＺｏｎｅ番号にはこの値より一つ大きい4607番までの値を設定可能であり、かつ実際に形成された4607番のインビジブルＲＺｏｎｅにはデータの記録を禁止している。また、光ディスクシステムでは、インビジブルＲＺｏｎｅ番号に4607番が設定されていている場合には、4606番目のＲＺｏｎｅは閉じられていると判断するとしている。また、本実施形態の光ディスクシステムでは、インビジブルＲＺｏｎｅに設定可能な番号の一つ小さい番号、すなわち4606番のＲＺｏｎｅの予約を禁止している。これは、予約を行う場合には、予約するＲＺｏｎｅの次のＲＺｏｎｅの開始ＰＳＮをＲＭＤフィールド４に保存する必要があるからである。
【００７０】
ここで、ＲＺｏｎｅの開始ＰＳＮの保存数とインビジブルＲＺｏｎｅ番号に設定可能な最大値が同じ4606であったとする。その場合、4606番目のＲＺｏｎｅを閉じることが困難になる。これは、ＲＺｏｎｅが閉じられているか否かの判断の基準のひとつが、「次のＲＺｏｎｅの開始ＰＳＮが設定されているか否か」であるからである。ＲＺｏｎｅが設定可能な最後のＲＺｏｎｅ、即ち4606番目の場合、次のＲＺｏｎｅの開始ＰＳＮを設定する場所がＲＭＤには存在しない。従って、4606番目のＲＺｏｎｅを閉じようとしても、この場合には、従来の光ディスク装置はＲＺｏｎｅを閉じることができない。
【００７１】
一方で、本実施形態の光ディスクシステムであれば、このような状況でも、インビジブルＲＺｏｎｅ番号に4607番を設定すれば、4606番目のＲＺｏｎｅを閉じたとみなすことが可能となる。このように本実施形態の光ディスクシステムでは、最後のＲＺｏｎｅまで互換性を保った状態で、データの記録状態を管理することが可能である。
【００７２】
つまり、本実施形態の光ディスクは、ＲＺｏｎｅの個数を保持する領域に設定可能な最大数を、ディスクに形成可能なＲＺｏｎｅの最大数（Ｎ個）より一つ多い数（Ｎ＋１）とする。その上で、光ディスクのＲＺｏｎｅの個数を保持する領域が最大数（Ｎ＋１）を記憶している場合、Ｎ＋１番目のＲＺｏｎｅの形成を禁止する。これにより、信頼性の高いディスクを提供することができる。
【００７３】
図１９に光ディスク１０が挿入された際の、光ディスク装置１２の応答を表すフローチャートを示す。
【００７４】
光ディスク装置１２は、まずホストからデータ領域へのデータの記録の指示を受信する（Ｓｔｅｐ１）。次に、光ディスク装置１２は指定された記録位置がインビジブルＲＺｏｎｅであった場合、そのインビジブルＲＺｏｎｅ番号が４６０７番であるか否かを判断する（Ｓｔｅｐ２）。光ディスク装置１２はインビジブルＲＺｏｎｅ番号が４６０７番であった場合には、ホストに対して、書き込みが禁止であることを示すエラーを返答する（Ｓｔｅｐ３）。一方、インビジブルＲＺｏｎｅ番号が４６０７番より小さい番号であった場合、指定されたインビジブルＲＺｏｎｅに対して通常の記録動作を実施する（Ｓｔｅｐ４）。
【００７５】
（最新のＲＭＤの検索）
次に、光ディスク装置１２が光ディスク１０に記録されたＲＭＤうち、最新のＲＭＤを検索し、光ディスク１０の状態を確定する作業について説明を行う。本実施形態の光ディスクシステムではこれまでに説明したように、複数の記録マネジメント領域を形成可能である。一方で、本実施形態の光ディスク装置１２は光ディスク１０の認識時にはこれらの複数の記録マネジメント領域の中から最新の情報を検索する機能を有している。
【００７６】
図２０及び図２１に光ディスク１０が挿入された際の、再生の手順を示す。図２０は記録マネジメントデータ複製領域の一部にＲＭＤが記録されている状態を示している。図２１は記録マネジメントデータ複製領域すべてにＲＭＤが記録されている状態を示している。図の下部の実線の矢印は光ディスク装置１２の再生動作、点線の矢印はシーク動作を示している。また、条件1及び条件３は記録マネジメントデータ複製領域で再生された最後のＲＭＤのフィールド０のディスク状態情報が「光ディスクに情報が記録されているが、ファイナライズされていない状態」を示していた場合、条件２及び条件４は「光ディスクがファイナライズされた状態」の検索手順を示している。
【００７７】
条件１では光ディスク装置１２は光ディスク１０が挿入された場合、ＢＣＡ及びエンボス管理領域の情報を再生する。ここで、物理フォーマット情報等から、ディスクの種類等を判別する。光ディスク１０が、追記型、もしくは書き換え型の光ディスク１０であった場合には、光ディスク装置１２は再生位置を記録マネジメントデータ複製領域に移し、この領域のＲＭＤを再生する。次に、光ディスク装置１２は再生したＲＭＤのうち最後のＲＭＤのフィールド０のディスク状態情報を読み出す。ここで、ディスク状態情報が、「光ディスクに情報が記録されているが、ファイナライズされていない状態」を示していた場合、そのＲＭＤのフィールド３のオープンＢ／Ｕ−記録マネジメント領域番号及び、そこで指定された番号のＢ／Ｕ−記録マネジメント領域の開始ＰＳＮから、最新のＢ／Ｕ−記録マネジメント領域を決定する。最後に、再生箇所を最新のＢ／Ｕ−記録マネジメント領域に移し、その領域内で最新のＲＭＤを検索する。ここで、再生されたＲＭＤが最新のＲＭＤであり、ここに保存された情報が光ディスク１０の最新の状態を示す情報となる。また、この領域が未記録であった場合には、記録マネジメントデータ複製領域で再生された最後のＲＭＤの情報が光ディスク１０の最新の状態を示す情報となる。
【００７８】
条件２では、条件１と同様にエンボス管理領域再生後に、記録マネジメントデータ複製領域で再生された最後のＲＭＤのフィールド０のディスク状態情報を読み出す。ここで、ディスク状態情報が、「光ディスクがファイナライズされた状態」を示していた場合、そのＲＭＤに保存された情報が光ディスク１０の最新の状態を示す情報となる。
【００７９】
条件３では、条件１と同様にエンボス管理領域再生後に、記録マネジメントデータ複製領域で再生された最後のＲＭＤのフィールド０のディスク状態情報を読み出す。ここで、ディスク状態情報が、「光ディスクに情報が記録されているが、ファイナライズされていない状態」を示していた場合、そのＲＭＤのフィールド３のオープンＢ／Ｕ−記録マネジメント領域番号及び、そこで指定された番号のＢ／Ｕ−記録マネジメント領域の開始ＰＳＮから、最新のＢ／Ｕ−記録マネジメント領域を決定する。次に、再生位置をその領域に移す。ここで、最新のＢ／Ｕ−記録マネジメント領域として決定された領域全体が未記録であった場合、記録マネジメントデータ複製領域で再生された最後のＲＭＤの情報が光ディスク１０の最新の状態を示す情報となる。また、最新のＢ／Ｕ−記録マネジメント領域として決定された領域にターミネータが記録されていた場合、光ディスク１０の状態はファイナライズ状態として認識される。即ち、ターミネータは管理情報の一つとして取り扱われる。最新のＢ／Ｕ−記録マネジメント領域として決定された領域にＲＭＤが記録されていた場合、そのうちの最後のＲＭＤの情報が光ディスク１０の最新の状態を示す情報となる。
【００８０】
条件４では、条件１と同様にエンボス管理領域再生後に、記録マネジメントデータ複製領域で再生された最後のＲＭＤのフィールド０のディスク状態情報を読み出す。ここで、ディスク状態情報が、「光ディスクがファイナライズされた状態」を示していた場合、そのＲＭＤに保存された情報が光ディスク１０の最新の状態を示す情報となる。
【００８１】
図２２に最新のＲＭＤ検索と最新のディスク状態の決定手順のフローチャートを示す。
【００８２】
光ディスク装置１２はディスクが挿入されたら、まずＢＣＡ及びエンボス管理領域等を再生する（Ｓｔｅｐ１）。次に、ＢＣＡまたはエンボス管理領域の物理フォーマット情報等からディスクの種類を読み出し、挿入されたディスクが追記型、書き換え型の光ディスク１０であるか否かを判別する（Ｓｔｅｐ２）。ここで、挿入されたディスクが追記型、書き換え型の光ディスク１０でない場合には、ＲＭＤの検索を中止し、処理を終了する。追記型、書き換え型の光ディスク１０と判定された場合には、光ディスク装置１２は記録マネジメントデータ複製領域を再生する（Ｓｔｅｐ３）。次に、記録マネジメントデータ複製領域に記録された最新のＲＭＤを検索し、その内容を読み出す（Ｓｔｅｐ４）。最新のＲＭＤのフィールド０に保存されたディスク状態情報を読み出し、光ディスク１０の状態がファイナライズ状態であるか否かを判定する（Ｓｔｅｐ５）。ここで、ファイナライズ状態であった場合には、光ディスク装置１２は光ディスク１０の最新のＲＭＤを現在読み出し中のＲＭＤと決定し、現在の状態はファイナライズ状態であると判定する（Ｓｔｅｐ６）。ＲＭＤに保存された情報がファイナライズ状態を示していない場合、光ディスク装置１２は現在読み出し中のＲＭＤが記録マネジメントデータ複製領域の最外端のブロックに記録されたＲＭＤであるか否か、すなわち記録マネジメントデータ複製領域がすべて記録済みか否かを判定する（Ｓｔｅｐ７）。最外端のブロックに記録されたＲＭＤで無い場合には、次にＲＭＤのフィールド３のＢ／Ｕ−記録マネジメント領域の開始ＰＳＮに保存された、最も大きい番号のＢ／Ｕ−記録マネジメント領域の開始ＰＳＮに移動し、その領域を再生する（Ｓｔｅｐ８）。次に、再生した領域が未記録であるか否かを判定する（Ｓｔｅｐ９）。未記録である場合には、Ｓｔｅｐ４で読み出した記録マネジメントデータ複製領域のＲＭＤが最新のＲＭＤであると決定し、そのＲＭＤのフィールド０のディスク状態情報が示す状態が光ディスク１０の最新の状態となる（Ｓｔｅｐ１０）。Ｓｔｅｐ８で再生した領域にＲＭＤが記録されていた場合、このＢ／Ｕ−記録マネジメント領域に記録された最新のＲＭＤが光ディスク１０の最新のＲＭＤとなる。さらに、そのＲＭＤのフィールド０のディスク状態情報が示す状態が光ディスク１０の最新の状態となる（Ｓｔｅｐ１１）。一方、Ｓｔｅｐ７で最外端のＲＭＤであると判定された場合、光ディスク装置１２は次にＲＭＤのフィールド３のＢ／Ｕ−記録マネジメント領域の開始ＰＳＮに保存された、最も大きい番号のＢ／Ｕ−記録マネジメント領域の開始ＰＳＮに移動し、その領域を再生する（Ｓｔｅｐ１２）。次に、再生した領域が未記録であるか否かを判定する（Ｓｔｅｐ１３）。未記録である場合には、Ｓｔｅｐ４で読み出した記録マネジメントデータ複製領域のＲＭＤが最新のＲＭＤであると決定し、そのＲＭＤのフィールド０のディスク状態情報が示す状態が光ディスク１０の最新の状態となる（Ｓｔｅｐ１４）。記録されていると判定された場合には、記録された情報が、ターミネータであるか否かを判定する（Ｓｔｅｐ１５）。ターミネータではなく、ＲＭＤが記録されていた場合、このＢ／Ｕ−記録マネジメント領域に記録された最新のＲＭＤが光ディスク１０の最新のＲＭＤとなる。さらに、そのＲＭＤのフィールド０のディスク状態情報が示す状態が光ディスク１０の最新の状態となる（Ｓｔｅｐ１６）。ターミネータが記録されていた場合には、その前に読みだしたＲＭＤの情報に関わらず、光ディスク装置１２は光ディスク１０の最新の情報をファイナライズ状態と判定する（Ｓｔｅｐ１７）。
【００８３】
このように本実施形態の光ディスク装置１２は複数の記録マネジメント領域を有する可能性のある光ディスク１０に対して、迅速に最新のＲＭＤを検索する機能を有している。
【００８４】
（書き換え型ディスクにおけるＲＭＤの更新手順）
図２３に書き換え型光ディスク１０のマネジメント領域の利用方法のその他の実施例を示す。これまでの説明では、記録マネジメント領域には一つずつＲＭＤを記録する手順を説明したが、書き換え型光ディスク１０の場合、情報の上書きが可能であるため、同じ範囲の記録マネジメント領域に対して、追記型より多くのＲＭＤの更新をすることが可能となる。従って、本実施形態の一つである書き換え型の光ディスク１０では、図に示すように複数のＲＭＤ、例えば４個のＲＭＤを一つのＲＭＤ  ｓｅｔとして同一の情報を記録し、情報の更新の際にはＲＭＤ  ｓｅｔを更新していくようにすることが可能である。この例では、記録マネジメント領域に９８個のＲＭＤ  ｓｅｔを配置可能としている。この場合、何らかの不具合により、ＲＭＤ  ｓｅｔ内のいくつかのＲＭＤが読み取り不可能になっても、残ったＲＭＤの情報から、正しい情報を得ることが可能になる。また、図に示すように記録マネジメントデータ複製領域に予備領域をもうけ、ＲＭＤを記録するための領域を追記型よりも少なくすることで、ＲＭＤの検索範囲を減らすことも可能である。
【００８５】
図２４Ａ〜図２４Ｄに書き換え型光ディスク１０の記録マネジメント領域の利用方法の一例と、その際にＲＭＤに保存するＲＭＤ  ｓｅｔ番号、ＲＭＤオーダー番号、ＲＭＤシリアル番号の値について説明を行う。
【００８６】
図２４Ａは光ディスク１０が未記録の状態から順にＲＭＤ  ｓｅｔを更新していった状態を示している。この例では、５回ＲＭＤ  ｓｅｔを更新している。ここで、ＲＭＤオーダー番号はＲＭＤ  ｓｅｔ内のＲＭＤの順序を示す情報であるため、どのＲＭＤ ｓｅｔも記録マネジメント領域の内側から順に、０から３までの番号が振られている。次に、ＲＭＤ  ｓｅｔ番号と、ＲＭＤシリアル番号はＲＭＤ  ｓｅｔ毎に１つずつ増加している。この状態では一番外側に記録されたＲＭＤシリアル番号４番のＲＭＤ  ｓｅｔが最新の情報となる。
【００８７】
図２４Ｂは、記録マネジメント領域に上書きが発生した状態を示している。この状態は、ＲＭＤ  ｓｅｔを記録マネジメント領域の内周側から順に更新していき、最外周まで記録した後に発生する。最外周にＲＭＤ  ｓｅｔ番号９７番のＲＭＤ  ｓｅｔを記録した後、次にＲＭＤ  ｓｅｔを更新する場合には、最内周に再度ＲＭＤ  ｓｅｔを記録する。この時、ＲＭＤ  ｓｅｔ番号は、位置に関する情報であるため、再び０を設定する。一方、ＲＭＤシリアル番号は、更新回数にかかわる番号であるので、前のＲＭＤ  ｓｅｔから１増やして、９８とする。図の例ではＲＭＤシリアル番号１００のＲＭＤ  ｓｅｔが最新の情報となる。このように本実施形態の光ディスク装置１２では、ＲＭＤシリアル番号を記録することで、記録マネジメント領域のＲＭＤを上書きしても最新の情報を得ることが可能になる。
【００８８】
次に、ＲＭＤシリアル番号が最大まで達した場合の手順について説明する。例えば、ＲＭＤシリアル番号の最大設定可能な値が１００であった場合、図２４Ｂの状態からＲＭＤ  ｓｅｔを更新することが出来なくなる。そこで、本実施形態の光ディスク装置１２は、このような場合には次の手順でＲＭＤ  ｓｅｔの更新を行う。まず、光ディスク装置１２は図２４Ｃに示すように、記録マネジメント領域のすべてに、ＲＭＤシリアル番号が０のＲＭＤ  ｓｅｔを記録する。この時、記録するＲＭＤはＲＭＤオーダー番号以外の値にすべて同じ値がｓｅｔされている。次に、図２４Ｄに示すように、最内周にＲＭＤシリアル番号を１つ増加させたＲＭＤ  ｓｅｔを記録する。このＲＭＤ  ｓｅｔが最新のＲＭＤ  ｓｅｔとなる。ここで、図２４Ｃにしめした処理は、記録マネジメント領域だけでなく、図示しない記録マネジメント複製領域でも実施される。具体的には、記録マネジメント複製領域のＲＭＤを記録する領域全体に、ＲＭＤシリアル番号０のＲＭＤを記録する作業である。この作業をＲＭＤ初期化処理と呼ぶ。
【００８９】
本実施形態の光ディスク装置１２は、このようにＲＭＤシリアル番号が最大まで達した場合には、ＲＭＤ初期化処理を行うことなく、ＲＭＤ  ｓｅｔを更新することを禁止している。ＲＭＤシリアル番号が最大まで達した場合に、ＲＭＤ  ｓｅｔを更新する場合には、ＲＭＤの初期化処理を実行する。この結果、ＲＭＤシリアル番号が最大まで達した後でも、さらに情報の記録が可能になる。また、ＲＭＤシリアル番号が最大のものが常に最新のＲＭＤ  ｓｅｔであるという状態が保たれるため、ＲＭＤシリアル番号を利用した迅速な管理情報の検索が可能となる。今回の説明では簡単の為、ＲＭＤシリアル番号の最大値を１００としたが、例えば、ＲＭＤフィールド０にＲＭＤシリアル番号を保存するビットを２２ビット用意した場合には、この値は１６進数で３ＦＦＦＦＦｈとなる。即ち、光ディスク１０ではＲＭＤシリアル番号が、１０進数で4194303となった場合に、次のＲＭＤ  ｓｅｔを記録する場合には、ＲＭＤ初期化処理をする必要がある。
【００９０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００９１】
【図１】本発明の一実施形態に係る情報記録再生システムの概略構成を示す図である。
【図２】本発明の一実施形態に係る情報記録再生システム（パーソナルコンピュータ等のシステム）の概略構成を示す図である。
【図３】本発明の一実施形態に係る光ディスク装置のブロック図である。
【図４】本発明の実施形態の一つである２つの情報記録再生層を有する情報記録媒体である光ディスクの模式図である。
【図５】本発明の実施形態の一つである光ディスクのエンボス領域と書換え可能な記録領域の物理仕様の一例を示す図である。
【図６】本発明の実施形態の一つである２層光ディスクの各層の構成を示す図である。
【図７】本発明の実施形態の一つである２層光ディスクの記録可能領域の詳細なレイアウトの一例を示す図である。
【図８】本発明の実施形態の一つである単層光ディスクの記録可能領域の詳細なレイアウトの一例を示す図である。
【図９】記録マネジメントデータ複製領域、及び記録マネジメント領域を含むマネジメント領域の構成の一例を示す図である。
【図１０】ＲＭＤの一例を示す図である。
【図１１】ＲＭＤのフィールド０の内容の一例を示す図である。
【図１２】ＲＭＤのフィールド０の更新データエリア構造の内容の一例を示す図である。
【図１３】ＲＭＤのフィールド３の内容の一例を示す図である。
【図１４】ＲＭＤのフィールド４の内容の一例を示す図である。
【図１５】ＲＭＤのフィールド５から２１の内容の一例を示す図である。
【図１６】Ｒ物理フォーマット情報領域に保存される、物理フォーマット情報（ＰＦＩ）の構成の一例を示す図である。
【図１７Ａ】光ディスクに対する記録手順の一例を示す図である。
【図１７Ｂ】光ディスクに対する記録手順の一例を示す図である。
【図１８Ａ】光ディスク１０におけるＲＭＤのフィールド４のインビジブルＲＺｏｎｅ番号が4606（最大値）になった場合の状況を説明するための図である。
【図１８Ｂ】光ディスク１０におけるＲＭＤのフィールド４のインビジブルＲＺｏｎｅ番号が4607（最大値＋１）になった場合の状況を説明するための図である。
【図１９】光ディスクが挿入された際の、光ディスク装置による記録処理の一例を示すフローチャートである。
【図２０】光ディスク１０が挿入された際の、光ディスク装置による再生処理の一例を示す図である。
【図２１】光ディスク１０が挿入された際の、光ディスク装置による再生処理の一例を示す図である。
【図２２】最新のＲＭＤ検索と最新のディスク状態の決定手順の一例を示すフローチャートである。
【図２３】書き換え型光ディスクの記録マネジメント領域及び記録マネジメントデータ複製領域を説明するための図である。
【図２４Ａ】書き換え型光ディスクの記録マネジメント領域のＲＭＤに保存されるＲＭＤ  ｓｅｔ番号、ＲＭＤオーダー番号、ＲＭＤシリアル番号について説明するための図である。
【図２４Ｂ】書き換え型光ディスクの記録マネジメント領域のＲＭＤに保存されるＲＭＤ  ｓｅｔ番号、ＲＭＤオーダー番号、ＲＭＤシリアル番号について説明するための図である。
【図２４Ｃ】書き換え型光ディスクの記録マネジメント領域のＲＭＤに保存されるＲＭＤ  ｓｅｔ番号、ＲＭＤオーダー番号、ＲＭＤシリアル番号について説明するための図である。
【図２４Ｄ】書き換え型光ディスクの記録マネジメント領域のＲＭＤに保存されるＲＭＤ  ｓｅｔ番号、ＲＭＤオーダー番号、ＲＭＤシリアル番号について説明するための図である。
【符号の説明】
【００９２】
１０…光ディスク、１２…光ディスク装置、１４…ホスト、１６…プレーヤ／レコーダ
【図１】
2009099193.tif 000003
【図２】
2009099193.tif 000004
【図３】
2009099193.tif 000005
【図４】
2009099193.tif 000006
【図５】
2009099193.tif 000007
【図６】
2009099193.tif 000008
【図７】
2009099193.tif 000009
【図８】
2009099193.tif 000010
【図９】
2009099193.tif 000011
【図１０】
2009099193.tif 000012
【図１１】
2009099193.tif 000013
【図１２】
2009099193.tif 000014
【図１３】
2009099193.tif 000015
【図１４】
2009099193.tif 000016
【図１５】
2009099193.tif 000017
【図１６】
2009099193.tif 000018
【図１７Ａ】
2009099193.tif 000019
【図１７Ｂ】
2009099193.tif 000020
【図１８Ａ】
2009099193.tif 000021
【図１８Ｂ】
2009099193.tif 000022
【図１９】
2009099193.tif 000023
【図２０】
2009099193.tif 000024
【図２１】
2009099193.tif 000025
【図２２】
2009099193.tif 000026
【図２３】
2009099193.tif 000027
【図２４Ａ】
2009099193.tif 000028
【図２４Ｂ】
2009099193.tif 000029
【図２４Ｃ】
2009099193.tif 000030
【図２４Ｄ】
2009099193.tif 000031